(57)【要約】【課題】  携帯性が良好で、かつ精度向上も図れる携帯型生体認証装置を提供する【解決手段】  上面１０１に指保持手段１１０を備えた本体筺体１００と、この本体筺体１００の上面１０１を覆うフード体２００と、本体筺体１００とフード体２００とを携帯状態と使用状態に保持する取付機構部３００とを含んで構成し、本体筺体１００は、上面１０１の長手方向の一端側に立上部１２０を備え、フード体２００は、本体筺体１００の上面１０１を覆う平坦面２１０と、この平坦面２１０の一端側に張り出して形成される第１縁体２２０と、この平坦面２１０の他端側に形成される第２縁体２３０と、第１縁体２２０と第２縁体２３０の間の両端に形成される第３縁体２４０とを備え、取付機構部３００は、第２縁体２３０と立上部１２０が接触した収納状態を保持する第１取付機構部３１０と、立上部１２０と第１縁体２２０とを連結してフード体２００が指保持手段１１０の上方に位置した使用状態を保持する第２取付機構部３５０とから構成する。【選択図】  図１
2009070110.tif 000002
【特許請求の範囲】
【請求項１】
指を保持する指保持手段と、この指保持手段に保持される指に検知光を照射する光源部と、前記指保持手段に保持される指を透過した前記検知光を検知するカメラ部とを備えた携帯型生体認証装置において、
その上面に前記指保持手段を備え、前記光源部とカメラ部を内蔵した本体筺体と、
前記指保持手段を備え前記本体筺体の前記上面を覆うフード体と、
前記本体筺体と前記フード体とを携帯状態と使用状態に保持する取付機構部とを含んで構成し、
前記本体筺体は、前記指保持手段の長手方向の一端側となる上面の一端側に立上部を備え、
前記フード体は、前記本体筺体の上面を覆う平坦面と、前記平坦面の一端側に張り出して形成される第１縁体と、前記平坦面の他端側に形成される第２縁体と、前記第１縁体と第２縁体の間の前記平坦部の両端に形成される第３縁体とを備え、
前記取付機構部は、前記第２縁体と前記立上部が接触し、前記立上部の他端側の前記本体筺体と第１縁体が接触する収納状態を保持する第１取付機構部と、前記立上部と前記第１縁体とを連結して前記フード体を前記指保持手段の上方位置となる使用状態を保持する第２取付機構部とから構成される
ことを特徴とする携帯型生体認証装置。
【請求項２】
請求項１に記載の携帯型生体認証装置において、
前記第１取付機構部は、本体筺体の両側面に形成したスライド溝と、前記第３縁体の両側面に形成したスライドレールとから構成している
ことを特徴とする携帯型生体認証装置。
【請求項３】
請求項１または請求項２に記載の携帯型生体認証装置において、
前記第２取付機構部は、前記第１縁体に前記立上部と嵌合するキャップ部を設けている
ことを特徴とする携帯型生体認証装置。
【発明の詳細な説明】
【技術分野】
【０００１】
本発明は、携帯性と精度向上が図れる携帯型生体認証装置に関する。
【背景技術】
【０００２】
近年、本人確認を行う技術として生体認証装置が脚光を浴びている。これらの生体認証装置は、指紋や指または掌の静脈などの個々の個人に特定された生体情報を用いて認証を行うため、精度良く認証を行うことができる。これらの生体認証では、認証装置から光を照射し、この照射されて光の透過光や反射光を検知して生体特有の情報を入手し、この入手した情報を予め同様な手法で記録しておいたデータと照合して、その照合の度合いで認証を行うものである。
【０００３】
【特許文献１】特開２００２−８３２９８号公報
【特許文献２】特開２０００−２００１１３号公報
【発明の開示】
【発明が解決しようとする課題】
【０００４】
前記従来例では、カードなどの記録媒体に予め記録した生体認証情報を記録しておき、このカード中のデータと認証時に取得する認証情報とが一致するか否かで認証を判定している。このため、高度な認証制度が得られるものである。しかし、前記従来例では、生体に照射される光の透過光や反射光を検知して認証を行うため、認証時に不要な光が混入すると良好な精度が得にくくなるという課題がある。
【０００５】
特に、携帯用の認証装置にあっては、多様な環境で使用されても確実な制度を得る必要があるため、この課題を解決する必要がある。しかも、携帯用であるためには、コンパクトに収納できることも大きな課題である。
【０００６】
そこで、本発明の目的は、携帯性が良好で、かつ精度向上も図れる携帯型生体認証装置を提供することにある。
【課題を解決するための手段】
【０００７】
前記目的を達成するために、本発明に係る認証装置は、指を保持する指保持手段と、この指保持手段に保持される指に検知光を照射する光源部と、前記指保持手段に保持される指を透過した前記検知光を検知するカメラ部とを備えた携帯型生体認証装置において、その上面に前記指保持手段を備え、前記光源部と前記カメラ部を内蔵した本体筺体と、前記指保持手段を備え前記本体筺体の前記上面を覆うフード体と、前記本体筺体と前記フード体とを携帯状態と使用状態に保持する取付機構部とを含んで構成し、前記本体筺体は、前記指保持手段の長手方向の一端側となる上面の一端側に立上部を備え、前記フード体は、前記本体筺体の上面を覆う平坦面と、前記平坦面の一端側に張り出して形成される第１縁体と、前記平坦面の他端側に形成される第２縁体と、前記第１縁体と第２縁体の間の前記平坦部の両端に形成される第３縁体とを備え、前記取付機構部は、前記第２縁体と前記立上部が接触し、前記立上部の他端側の前記本体筺体と第１縁体が接触する収納状態を保持する第１取付機構部と、前記立上部と前記第１縁体とを連結して前記フード体を前記指保持手段の上方位置となる使用状態を保持する第２取付機構部とから構成する。
【発明の効果】
【０００８】
本発明によれば、フード体の取り付け方法を変更することにより、指保持手段をコンパクトに覆う収納状態と、指保持手段の上方に指を挿入しつつ周囲から不要な光の侵入を軽減可能な使用状態を簡単にとることができるので、携帯性が良好で、かつ精度向上も図れる携帯型生体認証装置を提供することができる。
【発明を実施するための最良の形態】
【０００９】
以下、図１から図１３を参照して、本発明に係る携帯型生体認証装置を具体的に説明する。ここで、図１から図８が第１の実施の形態、図９から図１３が他の実施の形態を示している。
【００１０】
（第１の実施の形態）
図１から図６を参照して、本発明の第１の実施の形態に係る携帯型生体認証装置を具体的に説明する。先ず、図１を参照して携帯型生体認証装置を構成する生体認証装置本体の概略構造を説明する。図１は生体認証装置本体の外観斜視図であり、図１（ａ）が使用状態の斜視図、図１（ｂ）が携帯状態（収納状態）に移行する状態の斜視図である。
【００１１】
符号１で総括的に示す生体認証装置本体は、その上面１０１に指を保持する指保持手段１１０を備えた本体筺体１００と、この指保持手段１１０を備えた本体筺体１００の上面１０１を覆うフード体２００と、このフード体２００と本体筺体１００とを使用状態、あるいは携帯状態に保持する取付機構部３００とを含んで構成される。前記本体筺体１００は、その内部に、少なくとも、前記指保持手段１１０に保持される指に検知光を照射する光源部２（図２参照）と、前記指保持手段１１０に保持される指を透過した検知光を検知するカメラ部３（図２参照）とを含んで構成される。また、本体筺体１００の外観は、高さ寸法より横幅寸法が大きく、かつ横幅寸法より奥行寸法が大きい箱型の外観形状を備え、その上面１０１の中央には、前方から後方に向かって隆起して伸びる指保持手段１１０が設けられ、更に、その後方の上面後端部には、横幅一杯にわたって形成される立上部１２０が形成されている。
【００１２】
前記指保持手段１１０は、その中央部分がこの指保持手段１１０の長手方向に沿って凹状に形成されることで、１本の指をこの凹部１１１に沿って置いた際に、この凹部１１１の両側に形成される一対の縁体１１２により安定保持することができる。そして、この縁体１１２には、その長手方向に沿って複数の光源部２が設けられ、この光源部２から発した光は指を透過したのち、凹部１１１の底面部に設けられる窓部１１３を介して前記カメラ部３で撮影されることとなる。
【００１３】
一方、前記フード体２００は、前記本体筺体１００の上面１０１を覆う大きさを備えた平坦面２１０と、この平坦面２１０の一端側に張り出して形成される第１縁体２２０と、前記平坦面２１０の他端側に形成される第２縁体２３０と、前記第１縁体２２０と第２縁体２３０の間の前記平坦部２１０の両端に形成される第３縁体２４０とを備えて形成される。
【００１４】
更に、前記取付機構部３００は、前記第２縁体２３０と前記立上部１２０が接触し、この立上部１２０の他端側の前記本体筺体１００と第１縁体２２０とが接触した図１（ｂ）に示すような携帯状態（収納状態）を保持する第１取付機構部３１０と、前記立上部１２０と前記第１縁体２２０とを連結し、前記フード体２００が前記指保持手段１１０の上方に位置した図１（ａ）に示すような使用状態を保持する第２取付機構部３５０とから構成される。
【００１５】
この生体認証装置本体１によれば、パーソナルコンピュータや情報端末装置などの情報処理装置１０（図２参照）とコードや無線を介して接続し、この情報処理装置１０からの指示に基づいて、利用者の指の静脈パターンを取得して、予め取得しておいた利用者の静脈パターンと照合し、この照合結果に基づいて利用者の個人認証を行うことができる。なお、この実施の形態に係る生体認証装置本体１は、光源部２とカメラ部３を備えた指静脈パターンの入力装置として説明するが、本体筺体１００内にマイコンやメモリなどの装置を備えた、この生体認証装置本体で認証を行うようにしてもよい。
【００１６】
そして、この実施の形態に係る携帯型生体認証装置の大きな特徴の１つは、フード体２００の取り付け方法を変更することにより、指保持手段１１０をコンパクトに覆う携帯状態（収納状態）と、指保持手段１１０の上方に指を挿入しつつ、周囲からの不要な光の侵入を軽減可能な使用状態とを簡単にとることができる構造を備えた生体認証装置本体１を採用した点にある。この特徴によれば、携帯状態（収納状態）では、指保持手段１１０を保護して窓部１１３への塵埃の付着を軽減するとともに、装置全体を薄いコンパクトな箱型の形態とし、使用状態では、周囲からの不要な光の侵入を軽減して精度向上が測れるとともに、指を挿入することに対する利用者の不安の軽減や支障がない十分な開放感を得られ、しかも、この２つの状態をフード体２００の取り付け方法を変更するという簡単な構造で達成することができる。
【００１７】
また、この実施の形態に係る携帯型生体認証装置の大きな特徴の他の１つは、フード体２００の特徴的な取り付け方法を変更する構造を実現するために、第１取付機構部３１０と第２取付機構部３５０とからなる取付機構部３００を採用した点にある。
【００１８】
即ち、コンパクトな携帯状態（収納状態）を実現するために、フード体２００の一端に形成される張り出しの少ない第２縁体２３０を、上方に向かって張り出して形成される立上部１２０で支持し、フード体２００の他端に張り出して形成される第１縁体２２０を、立上部１２０と対向する本体筺体１００に第１取付機構部３１０を介して取り付ける構造としている。
【００１９】
この第１取付機構部３１０は、本体筺体１００の両側面に形成したスライド溝３１１と、フード体２００の両側面に形成したスライドレール３１２とから構成されている。この構造によれば、フード体２００は、第１取付機構部３１０によって確り保持され、しかも、この第１取付機構部３１０の嵌合と、前記第２縁体２３０と前記立上部１２０とが接触することにより、フード体２００の長手方向の両端が支持されるので、外部からの圧力に対抗する構造とすることができる。
【００２０】
しかも、前記スライド溝３１１は、前方から後方に沿って形成されているので、上方から加わる力に対して、前後方向に長く形成されるスライド溝３１１とスライドレール３１２の嵌合により対抗しやすくすることができるので、第１取付機構部３１０の小型化を実現している。更に、フード体２００の着脱は、このフード体２００を前後方向にスライドさせることで簡単に行うことができる。
【００２１】
また、周囲からの不要な光の侵入を軽減する使用状態を実現するために、この実施の形態では、第２取付機構部３５０を介して、立上部１２０と第１縁体２２０とを連結する構造を採用している。具体的には、第１縁体２２０に前記立上部１２０の両端部に嵌合する一対のキャップ部３５１を設けている。この構造によれば、このキャップ部３５１と立上部１２０との嵌合により、フード部２００と本体筺体１００との着脱を簡単に行うことができる。
【００２２】
また、この実施の形態に係る携帯型生体認証装置の大きな特徴の他の１つは、第３縁体２４０の張り出し量を、第１縁体２２０より小さく、第２縁体２３０より大きく形成した２段構造とした点にある。即ち、図１（ａ）に示す使用状態では、フード体２００の両側に形成する第３縁体２４０を大きくすれば、周囲からの不要な光は遮蔽できるものの、穴の中に指を挿入するという閉鎖感を利用者に与えてしまう。一方、第３縁体２４０を小さくすると、開放感は得られるものの、不要な光の侵入が課題となる。また、十分な強度を備えた第１取付機構部３１０を実現するためには、前後方向に十分に伸びる第３縁体２４０にスライドレール３１２を設ける必要がある。更に、十分な強度を備えた第２取付機構部３５０を実現するためには、立上部１２０と嵌合するキャップ部３５１に十分な嵌合ストロークが必要である。
【００２３】
そこで、この実施の形態では、第１縁体２２０は平坦面２１０の肉厚程度に抑え、第２縁体２３０は張り出し量を前記立上部１２０の高さに合わせてフード体２００の中央から後方にかけて形成し、第３縁体２４０は前記第２縁体２３０より下方に張り出させて、この張り出した部分にキャップ部３５１を設ける２段構造とした。
この構造によれば、図１（ａ）に示す使用状態では、フード体２００の前方が大きく開放され、中央から後方にかけては第３縁体２４０によってその両側が十分に遮蔽され、後部は第２縁体２３０と立上部１２０とが第２取付機構部３５０よってフード体２００が浮いた状態で堅固に保持される。一方、図１（ｂ）に示す携帯状態では、第３縁体２４０の内側の下端部に前後方向に長いスライドレール３１２を設けることができるので、このスライドレール３１２とスライド溝３１１との嵌合により、携帯状態を確り保持することができる。このように、この実施の形態によれば、前記課題を解決することができる。
【００２４】
以下、図２から図８を参照して、この実施の形態に係る携帯型生体認証装置を更に説明する。ここで、図２は、携帯型生体認証装置を達成するための装置ブロック図である。図３は、携帯状態を示す携帯型生体認証装置の外観図であり、図３（ａ）が平面図、図３（ｂ）が底面図、図３（ｃ）が正面図、図３（ｄ）が右側面図、図３（ｅ）が背面図である。図４は、フード体の外観斜視図であり、図４（ａ）が内側後方の斜視図、図４（ｂ）が外側後方の斜視図である。図５は、フード体の取付状態図であり、図５（ａ）が使用状態の右側面図、図５（ｂ）が携帯状態または収納状態を示す右側面図である。図６は、フード体の取り付け方法の説明図である。図７と図８は、指をセットした状態の使用状態図であり、図７（ａ）が右側面図、図７（ｂ）が平面図、図８（ａ）が斜め後方斜視図、図８（ｂ）が後方斜視図である。
【００２５】
先ず、図２を参照しながら、携帯型生体認証装置を構成する装置構成を簡単に説明する。この実施の形態に係る携帯型生体認証装置は、例えば、前記生体認証装置１を携帯型のノート型パソコンやモバイル端末などの情報処理装置１０と接続することで実現している。情報処理装置１０は、マイコン２１やメモリ２２や入出力インタフェース２３〜２６などを備えた情報処理装置本体２０と、表示部３０と、キーボードやマウスなどの入力部４０と、画像入力器５０とを含んで構成される。情報処理装置本体２０は、入力部４０からの入力操作に基づいてメモリ２２に格納された各種の制御動作を行わせるためのプログラムを用いて制御を実行する。また、前記メモリ２２には、この生体認証装置本体１や他の生体認証装置を介して入力される利用者の指静脈パターンを予め格納（登録）している。
【００２６】
また、生体認証装置本体１は、光源部２とカメラ部３とスイッチ４とを備えている。そして、この実施の形態では、情報処理装置１０は、光源部２とカメラ部３との間に、指９９を挿入して、スイッチ４の押下に合わせて指静脈情報の画像信号を取得する。なお、スイッチ４の押下の代わりに、図示しない指置き検知センサによる指置き検知により画像信号を取得するようにしてもよい。カメラ部３の画像信号は、画像入力器５０によってデジタル情報に変換され、情報処理装置１０の入出力インタフェース２４を介してメモリ２２に格納される。
【００２７】
さらには、スイッチ４も同様に入出力インタフェース２５を介して接続され、オン／オフの状態がメモリ２２に格納されるか、もしくは、オンになると同時にマイコン２１に対して割り込み信号を発生する。
【００２８】
マイコン２１は、スイッチ４の状態がオンになったのを確認するか、もしくはオンになった割り込み信号を検知すると、認証を行うソフトウェアプログラムを起動して認証処理を実行する。そして、プログラムの処理結果に基づき、その結果を、表示部３０に表示したり、制御対象６０に適切な信号を送って扉を開閉したり、といった各種制御を行う。なお、この実施の形態では、入力部４０から入力される暗証番号とこの指静脈パターンの認証を併用して個人認証を行うことができる。
【００２９】
次に、図３から図５を参照して、生体認証装置本体１を更に詳細に説明する。図３は、携帯状態（収納状態）の生体認証装置本体１を示している。図３から明らかなように、この実施の形態では、フード体２００が本体筺体１００の前方から第１取付機構部３１０を介して、前記第２縁体２３０の先端が立上部１２０の上端に接触する位置までスライド挿入される。この携帯状態（収納状態）の位置は、フード体２００の第１縁体２２０に設けたキャップ部３５１の内壁面が本体筺体１００の前部に当たることで特定される。
【００３０】
更に、この携帯状態（収納状態）の位置は、スライド溝３１１とスライドレール３１２との間に形成される図示しない凹部と凸部の嵌合により固定される。そして、この携帯状態（収納状態）の位置は、一対のキャップ部３５１の間に形成される手掛部２５０に指を引っ掛けて簡単に前記フード体２００を引き出して、フード体２００を本体筺体１００から取り外すことができる。また、この実施の形態では、第３縁体２４０の中央側の両端部に手掛突起２５１を形成し、この手掛突起２５１を両側から挟んでフード体２００を引き出して、フード体２００を本体筺体１００から取り外すことができる。
【００３１】
図３（ｃ）に示すように、フード体２００の第１縁体２２０は、手掛部２５０に対応する部分が両側のキャップ部３５１に対応する部分より、張り出し量が小さい切欠部２５２が設けられている。これにより、後述するように、利用者の閉鎖感を軽減している。
【００３２】
また、本体筺体１００は、筺体の上部を構成する上カバー１０２と、下部を構成する下カバー１０３とを、図示しないネジを介して固定することで形成される。この両カバーの結合部１０４は、本体筺体１００の周囲に凹状の溝として形成され、この結合部１０４を利用して前記スライド溝３１１を形成することで、金型を簡単な構造としている。なお、本体筺体１００の背面には、この結合部１０４を利用して情報処理装置１０と電気的に接続するためのコード穴１０５を設けている。
【００３３】
次に、図４を参照して、フード体２００の外観構成について説明する。図４から明らかなように、縁体１１２の内側には、その両側にキャップ部３５１が形成され、このキャップ部３５１が本体筺体１００の立上部１２０の両端部に嵌まり込むことで、使用状態の姿勢が強固に保持される。なお、キャップ部３５１の嵌合ストロークは、前記立上部１２０を略覆う大きさを備えている。
【００３４】
一方、第３縁体２４０の内壁面の両側には、内方に突出したスライドレール３１２が設けられている。このスライドレール３１２がスライド溝３１１に嵌合することで、携帯状態が維持される。なお、このフード体２００は樹脂で形成されており、かつスライドレール３１２が第３縁体２４０の先端部に形成されることから、スライドレール３１２とスライド溝３１１の嵌合は、樹脂の弾性を利用して強固に保持することができる。
【００３５】
次に、図５を参照して、フード体２００が本体筺体１００に取り付けられる寸法体系について説明する。この実施の形態のフード体２００は、奥行寸法が前後に略等分に２分割され、その前部寸法部分Ｄ２の周囲に、張り出し量が上面１０１の肉厚と同等な第２縁体２３０が連続して形成される。これにより、指を挿入する利用者に、高さＨ１の解放された空間を提供し、穴に指を挿入するような不安感を軽減させている。
【００３６】
一方、後部寸法部分Ｄ１の両側には、下方に垂れ下がった第３縁体２４０と、その後方に連続して形成される第１縁体２２０が形成される。第１縁体２２０は、高さＨ１の大きさを備えており、その下端部が本体筺体１００の上面１０１と接するように第２取付機構部３５０を介して連結される。これに対し、第３縁体２４０は、その下端部と前記上面１０１との間に、高さＨ３の空間が開くような高さＨ２の大きさを備えて形成される。この第３縁体２４０の構造によれば、上方からの不要な光の侵入を軽減しつつ、その下方に開放された空間を備えることで、穴に指を挿入するような不安感をいっそう軽減することができる。
【００３７】
そして、第１縁体２２０は、その下端部を本体筺体１００の上面１０１と連続させることで、前方に大きく迫り出したフード体２００の不安定感を軽減している。更に、第１縁体２２０の両側には、立上部１２０を包含するだけの十分な嵌合ストローク（高さＨ３）を備えたキャップ部３５１が形成され、構造的にもフード体２００を本体筺体１００に確り保持することができる。
【００３８】
また、キャップ部３５１で挟まれた第１縁体２２０の中央には、切欠部２５２が形成される。この切欠部２５２は、第１縁体２２０の端部より高さＨ３だけ内方に切り欠かれており、この高さＨ３は、立上部１２０の高さＨ４より大きく切り欠かれている。このため、この切欠部２５２と立上部１２０との間に隙間を形成することができ、この隙間を利用して指が指保持手段１１０に装着される状態を観察したり、利用者に対していっそうの開放感を提供することができる。特に、この実施の形態では、指保持手段１１０の立上部１２０側の端部に図示しない動作ランプを設けているので、この動作ランプの動作状態を観察することができる。
【００３９】
一方、第３縁体２４０の内側の下端部には、スライドレール３１２が設けられている。このスライドレール３１２が設けられている高さＨ２の位置は、上ケース１０２の上面１０１と結合部１０４との間の高さＨ６と、立上部１２０の高さＨ４とを合わせた寸法Ｈ５と一致させている。このため、スライドレール３１２を結合部１０４に設けたスライド溝３１１に挿入してフード体２００を本体筺体１００に取り付けることにより、図５（ｂ）に示すような携帯状態を取らせることができる。ここで、指保持手段１１０の上端までの高さを、立上部１２０の高さＨ４より低く設定しているので、携帯状態では本体筺体１００とフード体２００との間の空間に指保持手段１１０を包含することができる。
【００４０】
また、前記スライド溝３１１の前部先端部には、三角形状に開いた挿入ガイド部３１３を設けているので、スライドレール３１２をスライド溝３１１に挿入する際の位置あわせが容易である。
【００４１】
次に、図６から図８を参照して、この実施の形態に係る生体認証装置本体１の使用方法を説明する。
【００４２】
先ず、先に説明したように、この実施の形態に係る生体認証装置本体１は、本体筐体１００に対してフード体２００を着脱可能とし、この着脱可能なフード体２００の取り付け方向を変更することで、携帯性に有利な図６（ａ）に示す携帯状態と、開放感と認証精度の精度向上が図れる図６（ｄ）に示す使用状態とを取り得ることができる。
【００４３】
即ち、図６（ａ）に示す携帯状態では、指保持手段１１０を備えた本体筐体１００の上面１０１全体がフード体２００に覆われるので、指保持手段１１０に塵埃が進入するのを軽減することができる。しかも、この携帯状態では、フード体２００の一端側に形成される張り出し量が少ない第２縁体２３０が、立上部１２０の上端で支持され、しかも、フード体２００の他端に形成される張り出し量の大きな第１縁体２２０と、本体筐体１００の他端側とが、第１取付機構部を介して確り保持されるため、外部圧力に対抗できるコンパクトな箱型の形態とすることができる。
【００４４】
一方、このコンパクトな形態は、図６（ａ）から図６（ｂ）に示すように、フード体２００を本体筐体１００に対して前方にスライド移動させることで、第１取付機構部３１０の嵌合が外れ、フード体２００を本体筐体１００から簡単に取り外すことができる。
【００４５】
そして、図６（ｃ）に示すように、このフード体２００を１８０度回転させて、図６（ｄ）に示すように、第１縁体２２０の下端に開放したキャップ部３５１を、立上部１２０に上方から挿入することで、この第２取付機構部３５０の嵌合が図れるとともに、本体筐体１００の上面１０１の上方位置がフード体２００の平坦面２１０で覆われた使用状態を簡単に取ることができる。このように、この実施の形態によれば、１つのフード体２００の取り付け方向を変更することで、２つの使い勝手の良い形態を取らせることができる。
【００４６】
図７、図８に示すように、この実施の形態に係る生体認証装置本体１では、本体筺体１００の横幅寸法を８５ｍｍ、奥行寸法を１１４ｍｍに設定している。そして、横幅寸法が４５ｍｍで奥行寸法が７４ｍｍの指保持手段１１０を、両側に２０ｍｍ、手前側に１３ｍｍの平坦面を残して本体筺体１００の上面に設けている。この大きさを備えた生体認証装置本体１であれば、標準的な手の大きさを備えた利用者に快適な操作性を提供することができる。
【００４７】
また、図７と図８は、中指を指保持手段１１０にセットした状態を示している。この状態を取る利用者は、中指の両側にある薬指と人差し指が上面１０１の端部に接することとなる。しかし、この実施の形態では、第３縁体２４０の下方に開放された空間が形成されているので、薬指と人差し指がフード体２００に触れてしまうという不快感を利用者に与えることを軽減することができる。しかも、視覚的にフード体２００の両側に薬指と人差し指が見えるので、閉鎖感も軽減できる。
【００４８】
更に、利用者が指保持手段１１０に指をセットした状態では、手前側を大きく開放しても、上方がフード体２００に覆われ、その両側には薬指と人差し指が接近しているので、不要な光の侵入を軽減できる。一方、セットした指の先端側は、薬指と人差し指の先端がしだいに開くので、この指の隙間から不要な光が侵入する可能性が高くなる。しかしながら、この実施の形態では、本体筺体１００の上面１０１から連続する第３縁体２４０が、上方と斜め上方を覆うこととなるので、この不要な光の侵入を軽減することができる。
【００４９】
また、この実施の形態では、指保持手段１１０の先端と立上部１２０との間に十分な空間を形成しているので、例えば、爪の長い利用者であっても快適な環境を提供することができる。更に、この実施の形態では、図８（ｂ）に示すように、第１縁体２２０の切欠部２５２と立上部１２０との間で構成される隙間を介して、装置後方から指保持手段１１０を監視することができるとともに、開放感をいっそう向上させることができる。
【００５０】
なお、前記実施の形態では、第１取付機構部３１０を前方から後方に向かってスライドさせる機構を採用したが、上方から下方に向かって挿入するスライド構造を採用してもよい。
【００５１】
また、前記実施の形態では、第２縁体２３０と第３縁体２４０とを段差で接続する構造で説明したが、図５（ｂ）の２点破線で示すように、第３縁体２４０から先端部に向かって斜め形状や円弧形状で徐々に細くなるように形成してもよい。
【００５２】
（第２の実施の形態）
次に、この発明の第２の実施の形態に係る生体認証装置本体を、図９を参照して具体的に説明する。なお、この実施の形態では、前記第１の実施の形態と同一ないし同様なものは同一符号を持って示し、重複した説明を省略する。ここで、図９は、第２の実施の形態に係る生体認証装置本体の外観図であり、図９（ａ）が携帯状態の斜視図、図９（ｂ）がフード体を取り外した状態の外観斜視図、図９（ｃ）が使用状態の斜視図である。
【００５３】
図９において、符号１ｂで総括的に示す生体認証装置本体１ｂは、指保持手段１１０の前部と両側前部とを、着脱可能なフード体２００ｂで構成した点を特徴とするものである。即ち、この生体認証装置本体１ｂは、その上面１０１に箱型の指保持手段１１０を備えた本体筺体１００ｂと、この上面１０１を覆うように形成されるフード体２００ｂとから構成される。
【００５４】
フード体２００ｂは、その後端部が第１縁部２２０を介して支持され、指保持手段１１０の上部を覆うように形成される平坦面２１０を備えた後部フード体２０１と、前記平坦面２１０の前部と両側を覆う前部フード体２０２とから構成される。そして、この実施の形態では、後部フード体２０１を、前記本体筐体１００ｂの後部に固定または一体的に設け、前記前部フード体２０２を、本体筐体１００ｂに着脱可能に設けている。
【００５５】
この実施の形態によれば、図９（ａ）に示すように、本体筐体１００ｂの上面１０１と、この上面を覆うフード体２００ｂとの間に収納空間を形成し、この収納空間に指保持手段１１０を収納することができるので、携帯性に優れている。そして、図９（ｂ）に示すように、このフード体２００ｂは、指保持手段１１０の前部と両側を覆う前部フード体２０２を取り外すことができるので、図９（ｃ）に示すように、指保持手段１１０の前方から指を挿入することができる。この際、指保持手段１１０の両側は開放されているので、指保持手段１１０に挿入する指の両側にある指が、フード体２００ｂに触れる不快感を軽減することができる。
【００５６】
一方、指保持手段１１０の上部は平坦面２１０で保護され、しかも、挿入する指の先端は、第１縁体２２０ｂにより保護されるので、上方や後方から侵入する不要な光を削減することができる。また、この実施の形態では、前記第１縁体２２０ｂの両側を指保持手段１１０の先端部近傍まで回り込ませているので、挿入する指の先端部近傍の不要な光の侵入を軽減することができる。
【００５７】
（第３の実施の形態）
次に、この発明の第３の実施の形態に係る生体認証装置本体を、図１０を参照して具体的に説明する。なお、この実施の形態では、前記第１の実施の形態と同一ないし同様なものは同一符号を持って示し、重複した説明を省略する。ここで、図１０は、第３の実施の形態に係る生体認証装置本体の外観図であり、図１０（ａ）が携帯状態の斜視図、図１０（ｂ）がフード体を開放した状態の外観斜視図、図１０（ｃ）が使用状態の斜視図である。
【００５８】
図１０において、符号１ｃで総括的に示す生体認証装置本体１ｃは、指保持手段１１０の前部と両側前部とを、前方に開閉可能なフード体２００ｃで構成した点を特徴とするものである。即ち、この生体認証装置本体１ｃは、その上面１０１に箱型の指保持手段１１０を備えた本体筺体１００ｃと、この上面１０１を覆うように形成されるフード体２００ｃとから構成される。
【００５９】
フード体２００ｃは、その後端部が第１縁部２２０ｃを介して支持され、指保持手段１１０の上部を覆うように形成される平坦面２１０を備えた後部フード体２０１ｂと、前記平坦面２１０の前部と両側を覆う前部フード体２０２ｂとから構成される。そして、この実施の形態では、後部フード体２０１ｂを、前記本体筐体１００ｃの後部に設けたスライド機構部３７０を介して前後方向にスライド移動可能に設け、前記前部フード体２０２ｂを、本体筐体１００ｃに対して前部の回転連結部３７１を介して開閉可能に設けている。
【００６０】
ここで、前記スライド機構部３７０は、本体筐体１００ｃの後部両端部に図示しない前後方向のスライド溝を設け、このスライド溝に嵌合するレールを、前記後部フード体２０１ｂの第１縁体２２０ｃに設けるようにする。また、前記回転機構部３７１は、前部フード体２０２ｂの前部両下端部にアームを設け、このアームの先端部が本体筐体１００ｃの前部に出没可能に設けることで、このアームの先端部に設けた回転中心を中心に前部フード体２０２ｂが前方に向かって開放することができる。
【００６１】
この実施の形態によれば、図１０（ａ）に示すように、本体筐体１００ｃの上面１０１と、この上面を覆うフード体２００ｃとの間に収納空間を形成し、この収納空間に指保持手段１１０を収納することができるので、携帯性に優れている。そして、図１０（ｂ）に示すように、このフード体２００ｃは、指保持手段１１０の前部と両側を覆う前部フード体２０２ｂを前方に開放できるので、図１０（ｃ）に示すように、指保持手段１１０の前方から指を挿入することができる。この際、指保持手段１１０の両側は開放されているので、指保持手段１１０に挿入する指の両側にある指が、フード体２００ｃに触れる不快感を軽減することができる。また、開放された前部フード体２０２ｂを、図１０（ｃ）に示すようにパームレストとしての機能を付加することができるので、指保持手段１１０にセットする指の姿勢を向上させることができる。
【００６２】
一方、指保持手段１１０の上部は平坦面２１０で保護され、しかも、挿入する指の先端は、第１縁体２２０ｃにより保護されるので、上方や後方から侵入する不要な光を削減することができる。また、この実施の形態では、前記第１縁体２２０ｃの両側を指保持手段１１０の先端部近傍まで回り込ませているので、挿入する指の先端部近傍の不要な光の侵入を軽減することができる。そして、この実施の形態では、後部フード体２０１ｂを後方へ移動させることができるので、利用者の指の大きさに合わせて、あるいは、挿入する指の先端部近傍の不要な光の侵入度合いに合わせて、後部フード体２０１ｂを前後方向に移動させることができる。
【００６３】
（第４の実施の形態）
次に、この発明の第４の実施の形態に係る生体認証装置本体を、図１１を参照して具体的に説明する。なお、この実施の形態では、前記第１の実施の形態と同一ないし同様なものは同一符号を持って示し、重複した説明を省略する。ここで、図１１は、第４の実施の形態に係る生体認証装置本体の外観図であり、図１１（ａ）が携帯状態の斜視図、図１１（ｂ）がフード体を回転した状態の外観斜視図、図１１（ｃ）が使用状態の斜視図である。
【００６４】
図１１において、符号１ｄで総括的に示す生体認証装置本体１ｄは、指保持手段１１０の上部を覆うフード体２００ｄを回転可能に設けた点を特徴とするものであり、図１０（ａ）に示す収納状態ではフード体２００ｄを本体筐体１００ｄに収納し、図１０（ｂ）に示すように、使用状態では本体筐体１００ｄに収納したフード体２００ｄを引き出し（回転させ）、指保持手段１１０の上部を覆う位置に固定可能に設けたものである。
【００６５】
即ち、この実施の形態では、短冊状の平坦面２１０ｄと第１縁体２２０ｄとを、側面から見て直角に結合するようにフード体２００ｄを形成し、このフード体２００ｄの第１縁体２２０ｄの端部を、本体筐体１００ｄの裏面部に図示しない回転機構部を介して回転可能に設けている。この実施の形態では、鍵形に屈曲して形成したフード体２００ｄが、収納状態では本体筐体１００ｄの側面に形成したバンパー部１３０の一部として収納され、使用状態では、このバンパー部１３０を、図１１（ｂ）に示すように、前記回転機構部を介して回転させてフード体２００ｄの開放端、即ち平坦面２１０ｄが指保持手段１１０の上部に位置するようにする。
【００６６】
この構造によれば、携帯時はフード体２００ｄをバンパー部１３０の一部として本体筐体１００ｄに収納し、使用状態では、収納したフード体２００ｄを回転させて、指保持手段１１０の上部と後方から侵入する不要な光を軽減することができる。
【００６７】
（第５の実施の形態）
次に、この発明の第５の実施の形態に係る生体認証装置本体を、図１２を参照して具体的に説明する。なお、この実施の形態では、前記第１の実施の形態と同一ないし同様なものは同一符号を持って示し、重複した説明を省略する。ここで、図１２は、第５の実施の形態に係る生体認証装置本体の外観図であり、図１２（ａ）が携帯状態の斜視図、図１２（ｂ）がフード体を引き出したの外観斜視図、図１２（ｃ）が使用状態の斜視図である。
【００６８】
図１２において、符号１ｅで総括的に示す生体認証装置本体は、指保持手段１１０の上部を覆うフード体２００ｅを、上方に向けて引き出し可能に設けた点を特徴とするものであり、図１２（ａ）に示す収納状態ではフード体２００ｅを介して指保持手段１１０を隠蔽し、図１２（ｂ）と図１２（ｃ）に示すように、使用状態ではフード体２００ｅを上方に引き出して、指保持手段１１０の上方の位置に固定可能に設けたものである。
【００６９】
この実施の形態では、フード体２００ｅが、指保持手段１１０を覆う平坦面２１０ｅと、この平坦面２１０ｅの長手方向の一端側に垂直方向に伸びて形成される第１縁体２２０ｅと、長手方向の他端側に僅かに下方に伸びて形成される第２縁体２３０ｅと、平坦面２１０ｅの両側の第１縁体２２０ｅ側に形成される第３縁体２４０ｅとを備えている。一方、本体筐体１００ｅには、箱型の上面１０１の中央に、前方から後方にかけて指保持手段１１０が設けられている。そして、前記指保持手段１１０の後方の端部側には、前記第１縁体２２０ｅを出没させるスライド機構部３８０が設けられ、このスライド機構部３８０に前記フード体２００ｅの第１縁体２２０ｅが取り付けられる。また、この本体筐体１００ｅの前部には、この本体筐体１００ｅの前部より前方に張り出したパームレスト部１４０が設けられている。
【００７０】
このように、この実施の形態では、スライド機構部３８０を介してフード体２００ｅを上下方向にスライド可能に動作できるので、フード体２００ｅを低くした図１２（ａ）の携帯状態では、フード体２００ｅによって指保持手段１１０の上面に形成される凹部１１１を覆うことができる。特に、この実施の形態では、第２縁体２３０ｅの下方と第３縁体２４０ｅの下方の張り出し形状を、前記凹部１１１の形状に合わせて形成しているために、凹部１１１に塵埃が侵入するのを軽減することができる。
【００７１】
一方、フード体２００ｅを上方へ引き出した図１２（ｂ）と図１２（ｃ）の使用状態では、指保持手段１１０の上部を開放して、この指保持手段１１０とフード体２００ｅとの間に、指を挿入するための十分に開放された空間を形成することができる。このため、利用者は指を挿入する際に、穴に指を挿入するような不快感を軽減することができる。更には、本体筐体１００ｅの上面１０１の上方にフード体２００ｅが浮いたような状態で保持されるので、前記不快感を一層払拭することができる。更にまた、前記フード体１００ｅは、指保持手段１１０の先端部近傍を塞ぐ下方に、大きく垂れ下がった第３縁体２４０ｅを備えているので、使用状態における不要な光の侵入を軽減することができる。
【００７２】
更にまた、この実施の形態では、本体筐体１００ｅの前部にパームレスト部１４０を形成しているので、指保持手段１１０への安定した指の挿入を図ることができる。
【００７３】
（第６の実施の形態）
次に、この発明の第６の実施の形態に係る生体認証装置本体を、図１３を参照して具体的に説明する。なお、この実施の形態では、前記第１の実施の形態と同一ないし同様なものは同一符号を持って示し、重複した説明を省略する。ここで、図１３は、第６の実施の形態に係る生体認証装置本体の外観図であり、図１３（ａ）が携帯状態の斜視図、図１３（ｂ）がフード体を引き出したの外観斜視図、図１３（ｃ）が使用状態の斜視図である。
【００７４】
図１３において、符号１ｆで総括的に示す生体認証装置本体は、指保持手段１１０の上部を覆うフード体２００ｆを引き出し可能に設けた点を特徴とするものであり、図１３（ａ）に示す収納状態ではフード体２００ｆを介して指保持手段１１０の上部を覆い、図１３（ｂ）と図１３（ｃ）図に示すように、使用状態ではフード体２００ｆを上方に引き出して、指保持手段１１０の上方の位置に固定可能に設けたものである。
【００７５】
この実施の形態では、フード体２００ｆを、指保持手段１１０を覆う平坦面２１０ｆと、この平坦面２１０ｆの長手方向の一端側に垂直方向に伸びて形成される第１縁体２２０ｆと、長手方向の他端側に平坦面２１０ｆの肉厚と同程度に形成される第２縁体２３０ｆと、平坦面２１０ｆの両側に形成される第３縁体２４０ｆとを備えている。一方、本体筐体１００ｆは、前後より中央部分が張り出した大きな湾曲面を備えた上面１０１ｆの中央に、前方から後方にかけて指保持手段１１０が設けられる。そして、前記指保持手段１１０の後方の端部側には、前記第１縁体２２０ｆを出没させるスライド機構部３８０が設けられ、このスライド機構部３８０に前記フード体２００ｆの第１縁体２２０ｆが取り付けられる。また、この本体筐体１００ｆの湾曲した前部には、その両側に部分的張り出して形成される一対のパームレスト部１４０ｆが設けられている。
【００７６】
このように、この実施の形態では、スライド機構部３８０を介してフード体２００ｆを上下方向にスライド可能に動作できるので、フード体２００ｆを低くした図１３（ａ）の携帯状態では、フード体２００ｆによって指保持手段１１０の上面に形成される凹部１１１を覆うことができる。
【００７７】
一方、フード体２００ｆを上方へ引き出した図１３（ｂ）と図１３（ｃ）の使用状態では、指保持手段１１０の上部を開放して、この指保持手段１１０とフード体２００ｆとの間に、指を挿入するための十分に開放された空間を形成することができる。このため、利用者は指を挿入する際に、穴に指を挿入するような不快感を軽減することができる。更には、本体筐体１００ｆの上面１０１の上方にフード体２００ｆが浮いたような状態で保持されるので、前記不快感を一層払拭することができる。更にまた、前記フード体１００ｆは、指保持手段１１０の両側を塞ぐ下方に、大きく垂れ下がった第３縁体２４０ｆを備えているので、使用状態における不要な光の侵入を軽減することができる。
【００７８】
更にまた、この実施の形態では、本体筐体１００ｆの前部にパームレスト部１４０ｆを形成しているので、指保持手段１１０への安定した指の挿入を図ることができる。
【図面の簡単な説明】
【００７９】
【図１】生体認証装置本体の外観斜視図である。
【図２】携帯型生体認証装置を達成するための装置ブロック図である。
【図３】携帯状態を示す携帯型生体認証装置の外観図である。
【図４】フード体の外観斜視図である。
【図５】フード体の取付状態図である。
【図６】フード体の取り付け方法の説明図である。
【図７】指をセットした状態の使用状態図である。
【図８】指をセットした状態の使用状態図である。
【図９】第２の実施の形態に係る生体認証装置本体の外観図である。
【図１０】第３の実施の形態に係る生体認証装置本体の外観図である。
【図１１】第４の実施の形態に係る生体認証装置本体の外観図である。
【図１２】第５の実施の形態に係る生体認証装置本体の外観図である。
【図１３】第６の実施の形態に係る生体認証装置本体の外観図である。
【符号の説明】
【００８０】
１…生体認証装置本体、…２光源部、３…カメラ部、４…スイッチ、１０…情報処理装置、２０…情報処理装置本体、２１…マイコン、２２…メモリ、２３〜２６…入出力インタフェース、…３０表示部、４０…入力部、５０…画像入力器、１００…本体筺体、１０１…上面、１０２…上カバー、１０３…下カバー、１０４…結合部、１０５…コード穴、１１０…指保持手段、１１１…凹部、１１２…縁体、１１３…窓部、１２０…立上部、１３０…バンパー部、１４０…パームレスト部、２００…フード体、２０１…後部フード体、２０２…前部フード体、２１０…平坦面、２２０…第１縁体、２３０…第２縁体、２４０…第３縁体、２５０…手掛部、２５１…手掛突起、２５２…切欠部、３００…取付機構部、３１０…第１取付機構部、３１１…スライド溝、３１２…スライドレール、３１３…挿入ガイド部、３５０…第２取付機構部、３５１…キャップ部、３７０…スライド機構部、３７１…回転連結部、３８０…スライド機構部。
【図１】
2009070110.tif 000003
【図２】
2009070110.tif 000004
【図３】
2009070110.tif 000005
【図４】
2009070110.tif 000006
【図５】
2009070110.tif 000007
【図６】
2009070110.tif 000008
【図７】
2009070110.tif 000009
【図８】
2009070110.tif 000010
【図９】
2009070110.tif 000011
【図１０】
2009070110.tif 000012
【図１１】
2009070110.tif 000013
【図１２】
2009070110.tif 000014
【図１３】
2009070110.tif 000015